(57)【要約】【課題】作業者の利便性を向上させて扉の開閉制御を行う。【解決手段】管理センタ２は、作業者が巡回する自動販売機３を作業者毎に一覧にしたローテーション表に基づき、電子鍵４から読み込んだＩＤに対して自動販売機３毎に解錠を許可すべき電子鍵番号を割り当ててＩＤを登録し、登録されたＩＤをＩＤ登録指示信号とともに該当する自動販売機３に送信する機能を有する。自動販売機３は、管理センタ２から送信されるＩＤ及びＩＤ登録指示信号を受信したときにその指示信号に従ってＩＤを登録し、作業者が所持する電子鍵４から読み込んだＩＤと登録ＩＤとを照合して正常認証したときに電気錠４４を解錠制御し、解錠後の閉扉時に電気錠４４を施錠制御する機能を有する。【選択図】図１
2009097190.tif 000002
【特許請求の範囲】
【請求項１】
電気錠を備えた複数の自動販売機と、該複数の自動販売機を管理する管理センタとからなる自動販売機の扉開閉制御システムにおいて、
前記管理センタは、作業者が巡回する自動販売機を作業者毎に一覧にしたローテーション表に基づき、電子鍵から読み込んだＩＤに対して前記自動販売機毎に解錠を許可すべき電子鍵番号を割り当てて前記ＩＤを登録し、該登録したＩＤをＩＤ登録指示信号とともに該当する自動販売機に送信する機能を有し、
前記自動販売機は、前記管理センタから送信されるＩＤ及びＩＤ登録指示信号を受信したときに該ＩＤ登録指示信号に従ってＩＤを登録し、作業者が所持する電子鍵から読み込んだＩＤと前記登録されたＩＤとを照合して正常認証したときに前記電気錠を解錠制御し、解錠後の閉扉時に前記電気錠を施錠制御する機能を有することを特徴とする自動販売機の扉開閉制御システム。
【請求項２】
前記管理センタは、前記自動販売機に登録されているＩＤを変更するためのＩＤ変更指示信号を該当する自動販売機に送信する機能を有し、
前記自動販売機は、前記管理センタから前記ＩＤ変更指示信号を受信したときに、該ＩＤ変更指示信号に従って対象ＩＤを変更する機能を有することを特徴とする請求項１記載の自動販売機の扉開閉制御システム。
【請求項３】
前記管理センタは、前記自動販売機からＩＤの照合履歴を取得するための照合履歴要求信号を該当する自動販売機に送信する機能を有し、
前記自動販売機は、前記管理センタから前記照合履歴要求信号を受信したときに、該照合履歴要求信号に従ってＩＤの照合履歴を送信する機能を有することを特徴とする請求項１記載の自動販売機の扉開閉制御システム。
【発明の詳細な説明】
【技術分野】
【０００１】
本発明は、例えば飲料、食品、嗜好品、その他各種商品を販売する自動販売機の扉開閉制御システムに関するものである。
【背景技術】
【０００２】
例えば飲料、食品、嗜好品、その他各種商品を販売する自動販売機として、物品を収納する前面開口の自動販売機本体と、自動販売機本体の前面開口を開閉する外扉と、自動販売機本体と外扉とをロックするハンドルロック式と呼ばれるロック機構を備えたものが従来より知られている。
【０００３】
この種の自動販売機のロック機構は、外扉に設けたハンドルの回動操作により外扉をロック又はロック解除する。ハンドルは、通常時において外扉に埋め込まれた状態であり、ハンドル操作が不可能な状態となっている。そして、ハンドルにはキーシリンダが組み込まれており、このキーシリンダに正当なキーを挿入・回転すると、ハンドルが前方に引き出された状態となって、ハンドル操作が可能になる。
【０００４】
ところで、上述した正当なキーをキーシリンダに挿入・回転して錠前を機械的に施解錠する機械錠に代えて、錠前を電気的に施解錠する電子錠を用いれば、鍵の盗難や紛失に対する対応能力の向上を図ることができる。そして、このような電子錠を用いた自動販売機の扉開閉制御システムとしては、例えば下記特許文献１に開示されるものが知られている。
【０００５】
図７に示すように、下記特許文献１に開示される扉開閉制御システム６１は、複数の自動販売機６２が管理センタ６３により通信回線６４を介して管理される構成であり、作業者が自動販売機６２の電子錠を直接開錠するとき、不図示の専用無線端末を操作して暗証コードを自動販売機６２の受信部に送信している。また、自動販売機６２の電子錠の暗証コードを変更するときには、携帯電話６５を用いて暗証コードを変更するための専用番号Ａを操作し、管理センタ６３と携帯電話６５を通信接続する。これにより、管理センタ６３は、携帯電話６５との通信接続をトリガにして、電子錠の新しい暗証コードを自動販売機６２の通信制御部に送信する。さらに、管理センタ６３が通信回線６４を介して自動販売機６２の電子錠を開錠するときには、携帯電話６５を用いて電子錠を開錠するための専用番号Ｂを操作し、管理センタ６３と携帯電話６５とを通信接続する。これにより、管理センタ６３は、携帯電話６５との通信接続をトリガにして、電子錠を開錠するためのコマンドを自動販売機６２の通信制御部に送信する。
【特許文献１】特開２００２−１１５４３６号公報
【発明の開示】
【発明が解決しようとする課題】
【０００６】
上述した特許文献１に開示される扉開閉制御システム６１では、自動販売機６２毎の複数の機械鍵を持ち歩く必要はなくなったが、作業者が携帯機器（専用無線端末、携帯電話６５）を操作する作業が必要不可欠であった。すなわち、特許文献１に開示される扉開閉制御システム６１では、自動販売機６２の電子錠を直接開錠する場合、作業者が専用無線端末から暗証コードを送信して自動販売機６２の受信部に受信させる作業が必要であった。また、管理センタ６３を介して自動販売機６２の電子錠を開錠する場合には、作業者が携帯電話６５から専用番号を操作する作業が必要であり、自動販売機６２の電子錠の暗証コードを変更する場合でも、携帯電話６５からの専用番号の操作が必要であった。
【０００７】
しかも、上述した自動販売機６２の電子錠の暗証コードを任意または定期的に変更する場合には、この変更する暗証コードを保持・保管する必要が出てくる。この暗証コードや専用番号は、忘れると作業できなくなる重要性を持つ。このため、携帯電話６５で使用する場合には、メモや電話帳などに記録して使用する方が便利であるが、携帯電話６５を紛失すると、システム全体が危険に晒されるリスクを負うことになる。これに対し、暗証コードや専用番号を記録しない場合は、作業者がその情報を記憶し、その記憶を継続しなければならないために負担が発生する。
【０００８】
そして、特許文献１に開示される扉開閉制御システム６１では、何よりも、解錠制御に作業者の操作が介入するリスクがある。例えば、解錠の対象となる自動販売機の番号を間違えて入力すると、作業者の目が届かないところに鍵の開いた金庫を置くことになる。
【０００９】
そこで、本発明は上記問題点に鑑みてなされたものであり、作業者の利便性を向上させて扉の開閉制御を行うことができる自動販売機の扉開閉制御システムを提供することを目的とするものである。
【課題を解決するための手段】
【００１０】
上記した目的を達成するために、請求項１に記載された自動販売機の扉開閉制御システムは、電気錠を備えた複数の自動販売機と、該複数の自動販売機を管理する管理センタとからなる自動販売機の扉開閉制御システムにおいて、
前記管理センタは、作業者が巡回する自動販売機を作業者毎に一覧にしたローテーション表に基づき、電子鍵から読み込んだＩＤに対して前記自動販売機毎に解錠を許可すべき電子鍵番号を割り当てて前記ＩＤを登録し、該登録したＩＤをＩＤ登録指示信号とともに該当する自動販売機に送信する機能を有し、
前記自動販売機は、前記管理センタから送信されるＩＤ及びＩＤ登録指示信号を受信したときに該ＩＤ登録指示信号に従ってＩＤを登録し、作業者が所持する電子鍵から読み込んだＩＤと前記登録されたＩＤとを照合して正常認証したときに前記電気錠を解錠制御し、解錠後の閉扉時に前記電気錠を施錠制御する機能を有することを特徴とする。
【００１１】
請求項２に記載された自動販売機の扉開閉制御システムは、請求項１の自動販売機の扉開閉制御システムにおいて、
前記管理センタは、前記自動販売機に登録されているＩＤを変更するためのＩＤ変更指示信号を該当する自動販売機に送信する機能を有し、
前記自動販売機は、前記管理センタから前記ＩＤ変更指示信号を受信したときに、該ＩＤ変更指示信号に従って対象ＩＤを変更する機能を有することを特徴とする。
【００１２】
請求項３に記載された自動販売機の扉開閉制御システムは、請求項１の自動販売機の扉開閉制御システムにおいて、
前記管理センタは、前記自動販売機からＩＤの照合履歴を取得するための照合履歴要求信号を該当する自動販売機に送信する機能を有し、
前記自動販売機は、前記管理センタから前記照合履歴要求信号を受信したときに、該照合履歴要求信号に従ってＩＤの照合履歴を送信する機能を有することを特徴とする。
【発明の効果】
【００１３】
本発明に係る自動販売機の扉開閉制御システムによれば、作業者が関与せずに管理センタから各自動販売機に対してＩＤの登録や変更（抹消を含む）が行えるので、作業者はＩＤのことを意識することなくローテーション表を見て自分が担当する自動販売機３を巡回して効率的に作業を行うことができ、従来のような作業者の操作負荷を無くすことができる。しかも、作業者が従来のような暗証コードや専用番号を知る必要がないので、コードや番号の保持・保管義務が無くなり、作業者の利便性の向上を図ることができる。
【００１４】
さらに、作業者は電子鍵のＩＤを知らないので、内部犯罪の予防にもなる。また、電子鍵や電子鍵のＩＤが盗難にあったとしても、その電子鍵のＩＤを管理センタで抹消することで被害拡大防止を図ることができる。
【発明を実施するための最良の形態】
【００１５】
以下、本発明の最良の形態について、添付した図面を参照しながら詳細に説明する。図１は本発明に係る自動販売機の扉開閉制御システムのブロック構成図、図２は本発明に係る自動販売機の扉開閉制御システムの概略説明図、図３〜図６は本発明に係る自動販売機の扉開閉制御システムにおけるＩＤの登録状況の各例を示す図である。
【００１６】
本例の自動販売機の扉開閉制御システム１は、図２に示すように、管理センタ２と、複数の自動販売機（１〜ｎ）３との間が通信回線４を介して相互に無線通信可能とされ、作業者にローテーション表とともに手渡される電子鍵５のＩＤを固定とし、管理センタ２が各自動販売機３に対するＩＤを登録・変更（抹消を含む）する機能を有し、作業者の利便性の向上を図るシステムを構築している。
【００１７】
なお、自動販売機３の巡回時に作業者が所持する電子鍵５は、自動販売機３との間で近傍通信・近接通信が可能である。また、電子鍵５は、作業者が直接手で持たずに見につけているだけで自動販売機３との間で通信可能としたり、電磁結合を利用して自動販売機３との間で通信する誘導磁界型に構成することができる。
【００１８】
まず、管理センタ２は、個々の自動販売機３に対するＩＤの登録・変更（抹消を含む）や照合履歴などを含め複数の自動販売機３を統括管理するもので、図１に示すように、電子鍵用リーダー２１、管理端末２２、通信機２３によって構成される。
【００１９】
電子鍵用リーダー２１は、登録対象となる電子鍵５からＩＤを読み込み、この読み込んだＩＤを管理端末２２に入力している。
【００２０】
管理端末２２は、例えば管理者が操作するパソコン等の端末装置からなり、ＣＰＵ、ＲＯＭ、ＲＡＭ等で構成される。管理端末２２は、電子鍵用リーダー２１が読み込んだ登録対象となる電子鍵５のＩＤが入力されると、作業者が巡回する自動販売機３を作業者毎に一覧にしたローテーション表に基づき、読み込んだＩＤに対して自動販売機３毎に解錠を許可すべき電子鍵番号（図３〜図６におけるＩＤ１〜ＩＤ１０に相当）を割り当て、実際に使用される全てのＩＤ（図３〜図６の例では１０個のＩＤ）を、例えば図３に示す形式で事前登録している。
【００２１】
また、管理端末２２は、任意の自動販売機３へのＩＤの登録・変更（抹消を含む）を行う場合、例えばコマンドによるＩＤ登録指示信号またはＩＤ変更指示信号が入力されると、この信号とともにＩＤ登録対象となるＩＤまたはＩＤ変更対象となるＩＤを通信機２３に出力している。
【００２２】
さらに、管理端末２２は、任意の自動販売機３から照合履歴を取得する場合、例えばコマンドによる照合履歴要求信号が入力されると、この信号を通信機２３に出力し、この信号に従って該当する自動販売機３から送信される照合履歴を通信機２３から取得している。
【００２３】
通信機２３は、通信回線４を介して各自動販売機３との間で相互に無線通信可能とし、管理端末２２からＩＤ登録指示信号またはＩＤ変更指示信号が入力されると、その信号とともにＩＤ（登録対象のＩＤ、変更対象のＩＤ）を該当する自動販売機３に通信回線４を介して送信している。
【００２４】
また、通信機２３は、管理端末２２から照合履歴要求信号が入力されると、その信号を該当する自動販売機３に通信回線４を介して送信し、これに応じた自動販売機３からの照合履歴情報を通信回線４を介して受信し、受信した照合履歴情報を管理端末２２に入力している。
【００２５】
次に、自動販売機３は、例えば飲料、食品、嗜好品、その他各種商品を販売する既存の機器であり、営業所の管轄区域内の各所に配置される。一般的な自動販売機３の機器構成としては、機器本体３１の前面に開閉自在な外扉３２が設けられる。この外扉３２には、ハンドル操作式のハンドルロック部３３、商品を購入する際に商品代を投入する貨幣投入口３４や紙幣投入口３５、商品を取り出す商品取出口３６などが配設されている。
【００２６】
なお、図示はしないが、外扉３２の裏面側には、貨幣投入口３４や紙幣投入口３５から投入された貨幣や紙幣による商品の売上金を保管するための金庫が設けられ、機器本体３１の庫内には、商品を収納するための商品収納ラックが収設されている。
【００２７】
また、各自動販売機３は、電気的構成として、図１に示すように、主制御部４１、通信制御部４２、電子鍵用リーダー４３、電気錠４４、電気錠制御部４５、従制御部４６を備えている。
【００２８】
主制御部４１は、ＣＰＵ、ＲＯＭ、ＲＡＭ、周辺回路（入出力ポート、タイマ等）等で構成され、自動販売機３の各種処理を統括制御している。その主な制御内容について説明すると、主制御部４１は、通信制御部４２が管理センタ２からＩＤ登録指示信号またはＩＤ変更指示信号とその信号に対応したＩＤを受信すると、この受信した信号に従って該当するＩＤの登録処理や変更（抹消を含む）処理を制御している。
【００２９】
また、主制御部４１は、通信制御部４２が管理センタ２から照合履歴要求信号を受信すると、この受信した信号に従って該当する照合履歴を通信制御部４２を介して管理センタ２に送信する処理を制御している。
【００３０】
通信制御部４２は、通信回線４を介して管理センタ２との間で相互にやり取りされる無線通信を制御するもので、管理センタ２からのＩＤ登録指示信号またはＩＤ変更指示信号やその信号に応じたＩＤを通信回線４を介して受信し主制御部４１に送信する処理、管理センタ２からの照合履歴要求信号に応じた照合履歴を通信回線４を介して管理センタ２に送信する処理を制御している。
【００３１】
電子鍵用リーダー４３は、作業者が所持する電子鍵５（ハンズフリー型の場合は作業者が身につけた電子鍵）からＩＤを非接触で読み込み、この読み込んだＩＤを主制御部４１に入力している。
【００３２】
電気錠４４は、外扉３２の背面に付設され、外扉３２の解錠や施錠（本例では閉扉時に自動施錠）を行うもので、例えばソレノイドやモータ等のアクチュエータへの通電を利用しており、電気錠制御部４５によって通電が制御される。
【００３３】
電気錠制御部４５は、管理センタ２からの指示信号（ＩＤ登録指示信号またはＩＤ変更指示信号）に従った主制御部４１の制御により、電子鍵５毎の解錠を許可すべきＩＤの登録処理やＩＤの変更（抹消を含む）処理を行っている。
【００３４】
また、電気錠制御部４５は、電子鍵用リーダー４３が読み込んだＩＤと、予め登録されているＩＤとを照合し、電子鍵用リーダー４３が読み込んだＩＤを正常認証したか否かを判別し、正常認証したときに電気錠４４を解錠制御している。
【００３５】
さらに、電気錠制御部４５は、電気錠４４が解錠された後の閉扉時に電気錠４４を自動施錠制御している。
【００３６】
また、電気錠制御部４５は、管理センタ２からの照合履歴要求信号に従った主制御部４１の制御により、電気錠４４の解錠時の照合履歴を主制御部４１に送信制御している。
【００３７】
従制御部４６は、ＣＰＵ、ＲＯＭ、ＲＡＭ等で構成され、上述した通信制御部４２、電気錠制御部４５を含め、特許文献１に開示される貨幣処理制御部４７、紙幣処理制御部４８、接客制御部４９、販売制御部５０、入力制御部５１を備えている。
【００３８】
貨幣処理制御部４７は、貨幣投入口３４からの投入貨幣を受け取り、必要に応じて釣銭を返却口から返却するコインメカを制御するもので、投入貨幣の金種、正偽等の判別、金種別枚数の計算、金庫への余剰貨幣の収容、釣銭払い出し等の処理を制御している。
【００３９】
紙幣処理制御部４８は、紙幣投入口３５から投入紙幣を受け取り、必要に応じて釣札を紙幣投入口３５から返却するビルバリを制御するもので、投入紙幣の金種、正偽等の判別、金種別枚数の計算、釣札払い出し等の処理を制御している。
【００４０】
接客制御部４９は、主制御部４１からの販売に関する接客指示に従って、販売中、販売中止、釣銭切れの旨の表示、販売商品別の販売可能か売り切れかの旨の表示、複数の商品選択ボタンのうちの何れが押下されたかを検出して主制御部４１に検出信号を送信する等の処理を制御している。
【００４１】
販売制御部５０は、利用者が希望する商品を商品取出口３６まで搬出させる販売機構を制御するもので、接客制御部４９からの商品選択の検出信号に応答した主制御部４１からの販売指示に従って、利用者の希望商品を商品取出口３６まで搬出させる処理を制御している。
【００４２】
入力制御部５１は、作業者がリモコンを操作したときの設定内容（商品や商品収容コラムの対応付け、商品の値段設定、商品収容コラムの冷却加熱切換設定等）を主制御部４１で判別させるためのインターフェースとして機能するものである。
【００４３】
次に、上記構成による扉開閉制御システム１の動作について説明する。まず、管理センタ２から自動販売機３にＩＤを登録する動作について説明する。管理センタ２側において、電子鍵用リーダー２１は、自動販売機３の解錠に使用される電子鍵５のＩＤを順次読み込む。管理端末２２は、ローテーション表に基づき、電子鍵用リーダー２１が順次読み込んだ電子鍵５のＩＤに対し、自動販売機３毎に解錠を許可すべき電子鍵番号を割り当て、図３に示す形式でＩＤを事前登録する。通信機２３は、管理端末２２の指示により、登録対象となるＩＤをＩＤ登録指示信号とともに該当する自動販売機３に通信回線４を介して送信する。
【００４４】
自動販売機３側において、通信制御部４２は、管理センタ２の通信機２３から送信されるＩＤ及びＩＤ登録指示信号を通信回線４を介して受信する。この受信したＩＤ及びＩＤ登録指示信号は、主制御部４１を介して電気錠制御部４５に送られる。電気錠制御部４５は、ＩＤ登録指示信号に従ってＩＤを登録する。以上の手順によって各自動販売機３には、許可する電子鍵５のＩＤが事前に登録される。
【００４５】
次に、作業者が自動販売機３を解錠する動作について説明する。作業者は、管理センタ２でローテーション表と電子鍵５を受け取り、自分が担当する自動販売機３を巡回し、各自動販売機３において電子鍵５を自動販売機３に近づけ（ハンズフリー型であれば、電子鍵５を身につけて自動販売機３に近づくだけ）、電子鍵５のＩＤを自動販売機３の電子鍵用リーダー４３に非接触で読み取らせる。そして、自動販売機３側において、電気錠制御部４５は、電子鍵用リーダー４３が電子鍵５からＩＤを読み取ると、この読み取ったＩＤと既に登録されているＩＤとを照合し、両者が一致して正常認証すると、電気錠４４を解錠制御する。また、電気錠制御部４５は、そのときのＩＤと照合結果を照合履歴として逐次記録する。
【００４６】
このように、作業者が所持する電子鍵５のＩＤが正常認証されると、自動販売機３の電気錠４４が解錠制御される。そして、電気錠４４の解錠後に物品の補充や金銭に関する所定の作業を行い、作業終了後は外扉３２を閉めるだけで電気錠４４が自動施錠される。
【００４７】
次に、管理センタ２から自動販売機３に登録されているＩＤを変更する場合の動作について説明する。管理センタ２側では、管理端末２２からＩＤ変更指示信号が入力され、この信号とともにＩＤ変更対象となるＩＤを通信機２３に出力する。通信機２３は、管理端末２２の指示により、変更対象となるＩＤをＩＤ変更指示信号とともに該当する自動販売機３に通信回線４を介して送信する。
【００４８】
自動販売機３側では、通信制御部４２が管理センタ２から変更対象となるＩＤ及びＩＤ変更指示信号を通信回線４を介して受信すると、この受信した変更対象となるＩＤ及びＩＤ変更指示信号を主制御部４１から電気錠制御部４５に送り、電気錠制御部４５がＩＤ変更指示信号に従って変更対象のＩＤを変更する。
【００４９】
次に、管理センタ２が自動販売機３から照合履歴を取得する場合の動作について説明する。管理センタ２側では、管理端末２２から照合履歴要求信号が入力され、この信号を通信機２３に出力する。通信機２３は、管理端末２２の指示により、照合履歴要求信号を該当する自動販売機３に通信回線４を介して送信する。
【００５０】
自動販売機３側では、通信制御部４２が管理センタ２から照合履歴要求信号を通信回線４を介して受信すると、この受信した照合履歴要求信号を主制御部４１に送る。主制御部４１は、照合履歴要求信号に従って電気錠制御部４５に記録された照合履歴を読み出し、この読み出した照合履歴を通信制御部４２から通信回線４を介して管理センタ２に送信する。
【００５１】
ここで、図３〜図６は２０台の自動販売機（移動局ＮＯ１〜２０と表現）に対する１０個のＩＤ（ＩＤ１〜１０）の登録状況の各例を示している。なお、各図において、１０個の電子鍵５のＩＤを読み取って電子鍵番号（ＩＤ１〜ＩＤ１０）を割り当て、ＩＤ７とＩＤ８は予備、ＩＤ９とＩＤ１０は全ての自動販売機が許可するマスターとして登録されているものとしている。
【００５２】
図３はシステム立ち上げ時のＩＤ登録状況を示している。図３に示すシステム立ち上げ時の状態では、移動局ＮＯ１〜６がＩＤ１を許可し、移動局ＮＯ４〜９がＩＤ２を許可し、移動局ＮＯ７〜１２がＩＤ３を許可し、移動局ＮＯ１０〜１５がＩＤ４を許可し、移動局ＮＯ１３〜１８がＩＤ５を許可し、移動局ＮＯ１６〜２０がＩＤ６を許可するように、各自動販売機３毎の解錠を許可するＩＤ（ＩＤ１〜１０）が事前登録されている。
【００５３】
図４はＩＤ６が盗難に遭った、またはＩＤ６を紛失の場合のＩＤ登録状況を示している。この場合、全ての自動販売機（移動局ＮＯ１〜２０）でＩＤ６が使用できないようにＩＤ６を抹消する。このＩＤ６の抹消は、全ての自動販売機３に反映される。
【００５４】
図５は定期的に対象機器をローテーションする場合のＩＤ登録状況を示している。図５の例では、図３の立ち上げ状態からＩＤ１〜６を許可する移動局ＮＯが変更され、移動局ＮＯ１０〜１５がＩＤ１を許可し、移動局ＮＯ１３〜１８がＩＤ２を許可し、移動局ＮＯ１，ＮＯ１６〜２０がＩＤ３を許可し、移動局ＮＯ１〜４，ＮＯ１９，ＮＯ２０がＩＤ４を許可し、移動局ＮＯ２〜７がＩＤ５を許可し、移動局ＮＯ５〜１０がＩＤ６を許可するように変更登録される。
【００５５】
図６は緊急時により時限的にＩＤを許可する場合のＩＤ登録状況を示している。図６の例では、移動局ＮＯ２〜７が許可するＩＤ５を緊急で休ませる場合、移動局ＮＯ２がＩＤ３を許可し、移動局ＮＯ５がＩＤ４を許可し、移動局ＮＯ６がＩＤ２を許可し、移動局ＮＯ７がＩＤ１を許可するようにＩＤの一部が変更登録される。
【００５６】
このように、本例の自動販売機の扉開閉制御システムは、自動販売機３を巡回する各作業者が所持する電子鍵５をＩＤ固定とし、作業者が使用するＩＤを管理センタ２から各自動販売機３に登録・変更（抹消を含む）するシステムである。すなわち、本例のシステムでは、予め決められたローテーション表に基づき、管理センタ２から各自動販売機３に対してＩＤの登録や変更を行い、作業者がＩＤの登録・変更処理に一切関与しないので、作業者はＩＤのことを意識せずにローテーション表を見て自分が担当する自動販売機３を巡回して効率的に作業を行うことができる。これにより、従来のような作業者の操作負荷を無くすことができる。しかも、作業者が従来のような暗証コードや専用番号を知る必要がないので、コードや番号の保持・保管義務が無くなり、作業者の利便性の向上を図ることができる。
【００５７】
さらに、作業者は自動販売機３の巡回前に手渡される電子鍵５のＩＤを知らないので、内部犯罪の予防にもなる。また、電子鍵５や電子鍵５のＩＤが盗難にあったとしても、その電子鍵５のＩＤを管理センタ２で抹消することで被害拡大防止を図ることができ、ＩＤコードがコピーされてもローリングコードでブロックすることができる。
【００５８】
また、作業者が所持する電子鍵５は、自動販売機３との間で近傍通信・近接通信し、作業者の手の届く範囲しか電気錠４４が解錠できないので、金庫放置のリスクがない。また、電気錠４４は、電子鍵５を所持した作業者が近づいたときのみ解錠し、離れると自動施錠するので、作業中に目を離した隙をつかれることがない。
【００５９】
さらに、電子鍵５をハンズフリー型とすれば、自動販売機３の電子鍵用リーダー４３に近づける行為を直接見られないので、他人から電子鍵５が認識されることがなく、電子鍵５や作業者自身が狙われる危険性を低減することができる。また、電子鍵５を電磁結合を利用して自動販売機３にＩＤを読み取らせる誘導磁界型とすれば、電子鍵５を樹脂で密閉・防水型の構造にでき、雨天時の浸水対策を図ることができる。
【００６０】
ところで、上述した本例の扉開閉制御システムによる機能は、利用者が商品購入を行うための接客面を有する前扉、前扉と商品を収容する収容庫との間に介在する内扉、金銭を収容する金庫の扉の何れの扉の開閉制御にも適用することができる。
【図面の簡単な説明】
【００６１】
【図１】本発明に係る自動販売機の扉開閉制御システムのブロック構成図である。
【図２】本発明に係る自動販売機の扉開閉制御システムの概略説明図である。
【図３】本発明に係る自動販売機の扉開閉制御システムにおけるＩＤの登録状況の一例を示す図である。
【図４】本発明に係る自動販売機の扉開閉制御システムにおけるＩＤの登録状況の他の例を示す図である。
【図５】本発明に係る自動販売機の扉開閉制御システムにおけるＩＤの登録状況の他の例を示す図である。
【図６】本発明に係る自動販売機の扉開閉制御システムにおけるＩＤの登録状況の他の例を示す図である。
【図７】従来の自動販売機の扉開閉制御システムの概略構成図である。
【符号の説明】
【００６２】
１  扉開閉制御システム
２  管理センタ
３  自動販売機
４  通信回線
５  電子鍵
２１  電子鍵用リーダー
２２  管理端末
２３  通信機
３１  機器本体
３２  外扉
３３  ハンドルロック部
３４  貨幣投入口
３５  紙幣投入口
３６  商品取出口
４１  主制御部
４２  通信制御部
４３  電子鍵用リーダー
４４  電気錠
４５  電気錠制御部
４６  従制御部
４７  貨幣処理制御部
４８  紙幣処理制御部
４９  接客制御部
５０  販売制御部
５１  入力制御部
【図１】
2009097190.tif 000003
【図２】
2009097190.tif 000004
【図３】
2009097190.tif 000005
【図４】
2009097190.tif 000006
【図５】
2009097190.tif 000007
【図６】
2009097190.tif 000008
【図７】
2009097190.tif 000009